(57)【要約】【課題】  カセット段に印刷色の色数を対応付け、それを表示し、ユーザーはその表示に従ってカセット段を選択することができる多色画像印刷装置の提供。【解決手段】  複数色での印字を、複数パターン印字可能な多色画像印刷装置において、用紙を給紙するためのカセット手段と、前記カセット手段と前記パターンの対応を設定する設定手段と、前記カセット手段と前記パターンの対応を記憶する記憶手段と、記憶手段に記憶された設定を表示する表示手段を持ち、記憶手段の設定に従って、そのパターンの印字色で印字することを特徴とする多色画像印刷装置。【選択図】        図１
2007030352.tif 000002
【特許請求の範囲】
【請求項１】
複数色での印字を、複数パターン印字可能な多色画像印刷装置において、
用紙を給紙するためのカセット手段と、
前記カセット手段と前記パターンの対応を設定する設定手段と、
前記カセット手段と前記パターンの対応を記憶する記憶手段と、
記憶手段に記憶された設定を表示する表示手段を持ち、
記憶手段の設定に従って、そのパターンの印字色で印字することを特徴とする多色画像印刷装置。
【発明の詳細な説明】
【技術分野】
【０００１】
本発明は、多色印刷に関するものであり、たとえば４色印刷／６色印刷を切り替えることが可能な多色画像印刷装置に関する発明である。
【背景技術】
【０００２】
近年、オンデマンド印刷機、インクジェットプリンタではＣＭＹＫの４色以外にも、Ｌｉｇｈｔ  ＣｙａｎやＬｉｇｈｔ  Ｍａｇｅｎｔａといった追加色により、より色再現範囲の広い印刷物を提供できるようになった。たとえば、画像データの受信と並行して或いは先立って、画像データの色版数を示す構成色版数情報を受信し、該構成色版数情報に基づいて給紙の準備処理と露光の準備処理の制御を行う技術が提案されている（下記特許文献１参照。）。
【特許文献１】特開２００５−１２２４号公報
【発明の開示】
【発明が解決しようとする課題】
【０００３】
従来、複写機やマルチファンクション機では印刷色数の切り替えを原稿タイプ（文字モード、写真モードなど）によって行うという考えがあった。
【０００４】
しかしながら、４色印字と６色印字でパフォーマンスや課金に差があるような場合には、使用者にはわかりづらいという問題がある。
【０００５】
本発明は、上述の問題点に着目してなされたものであって、カセット段に印刷色の色数を対応付け、それを表示し、ユーザーはその表示に従ってカセット段を選択することができる多色画像印刷装置の提供を目的とする。
【課題を解決するための手段】
【０００６】
本発明は、上記目的を達成するために、以下の構成を備える。
【０００７】
複数色での印字を、複数パターン印字可能な多色画像印刷装置において、
用紙を給紙するためのカセット手段と、
前記カセットと前記パターンの対応を設定する設定手段と、
前記カセットと前記パターンの対応を記憶する記憶手段と、
記憶手段に記憶された設定を表示する表示手段を持ち、
記憶手段の設定に従って、そのパターンの印字色で印字することを特徴とする多色画像印刷装置。
【発明の効果】
【０００８】
本発明により、カセット段に印刷色の色数を対応付け、それを表示するのでどのカセット段を使えば所望の色数で印字されるかが一目でわかり、ユーザーにとって使いやすい多色画像印刷装置を提供できる。
【発明を実施するための最良の形態】
【０００９】
以下、本発明にかかる一実施形態について、図面を参照して詳細に説明する。
【実施例１】
【００１０】
図１は、本発明の実施例を示す画像形成装置システムの全体の構成を説明するブロック図である。本画像形成装置２００は、画像入力デバイスであるスキャナ部２０７０、画像出力デバイスであるプリンタ部２０９５、Ｃｏｎｔｒｏｌｌｅｒ  Ｕｎｉｔ２０００、ユーザーインターフェースである操作部２０１２から構成される。スキャナ部２０７０、プリンタ部２０９５、操作部２０１２は、それぞれＣｏｎｔｒｏｌｌｅｒ  Ｕｎｉｔ２０００に接続され、Ｃｏｎｔｒｏｌｌｅｒ  Ｕｎｉｔ２０００は、ＬＡＮ２０１１などのネットワーク伝送手段、公衆回線に接続されている。公衆回線からはカラー画像送信を含むＧ３、Ｇ４ファックスによる送信が可能である。また、ＬＡＮ２０１１には、画像形成装置２００と同様の機器構成をもつ他の画像形成装置２２０、２３０が接続されている。また、パーソナルコンピュータ（以下ＰＣ）２４０が接続されていて、ＦＴＰ，ＳＭＢプロトコルを使用したファイルの送受信、電子メールの送受信ができる。画像形成装置２２０、２３０は、それぞれスキャナ部２２７０、２３７０、プリンタ部２２９５、２３９５、操作部２２１２、２３１２を持ち、それらがＣｏｎｔｒｏｌｌｅｒ  Ｕｎｉｔ２２００、２３００に接続されている。
【００１１】
図２は、画像形成装置の構成を説明するブロック図である。Ｃｏｎｔｒｏｌｌｅｒ  Ｕｎｉｔ２０００は画像入力デバイスであるカラースキャナ２０１５や画像出力デバイスであるカラープリンタ２０１７と接続し、一方ではＬＡＮ２００８や公衆回線（ＷＡＮ）２０５１と接続することで、画像情報やデバイス情報の入出力を行う為のコントローラである。
【００１２】
ＣＰＵ２００１はシステム全体を制御するコントローラである。ＲＡＭ２００２はＣＰＵ２００１が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。操作部Ｉ／Ｆ２００５は操作部（ＵＩ）２００６とのインタフェース部で、操作部２００６に表示する画像データを操作部２００６に対して出力する。また、操作部２００６から本システム使用者が入力した情報を、ＣＰＵ２００１に伝える役割をする。
【００１３】
Ｎｅｔｗｏｒｋ２００７はＬＡＮ２００８に接続し、情報の入出力を行う。Ｍｏｄｅｍ２０５０は公衆回線２０５１に接続し、画像情報の入出力を行う。２値画像回転２０５２、および２値画像圧縮・伸張２０５３はＭｏｄｅｍ２０５０で２値画像を送信する前に画像の方向を変換したり、所定の解像度、あるいは相手能力に合わせた解像度に変換するためのものである。圧縮、伸張はＪＢＩＧ、ＭＭＲ、ＭＲ、ＭＨをサポートしている。ＤＭＡＣ２００９はＤＭＡコントローラであり、ＲＡＭ２００２に格納されている画像をＣＰＵ２００１を介することなく読み取り、ＩｍａｇｅＢｕｓＩ／Ｆ２１１１に対して画像転送する、もしくは画像バスからの画像をＣＰＵ２００１を介することなくＲＡＭ２００２に書き込む。以上のデバイスがシステムバス２００８に接続される。ＩｍａｇｅＢｕｓ２１１１は画像バス２０１０を介して高速な画像の入出力を制御するためのインタフェースである。圧縮器２１１２は画像バス２０１０に画像を送出する前に３２画素×３２画素の単位でＪＰＥＧ圧縮するための圧縮器である。伸張器２０１３は画像バス２０１０を介して送られた画像を伸張するための伸張器である。
【００１４】
ラスターイメージプロセッサ（ＲＩＰ）２０１８はホストコンピュータからのＰＤＬコードをＮｅｔｗｏｒｋ２００７を介して受け取り、システムバス２００８を通して、ＣＰＵ２００１がＲＡＭ２００２に格納する。ＣＰＵ２００１はＰＤＬを中間コードに変換し、再度システムバス２００８を介してＲＩＰ２０１８に入力し、ビットマップイメージ（多値）に展開する。
【００１５】
スキャナ画像処理２０１４はスキャナ２０１５からのカラー画像、白黒画像に対して、適切な各種画像処理（たとえば補正、加工、編集）を行い出力する（多値）。
【００１６】
同様にプリンタ画像処理２０１６はプリンタ２０１７に対して適切な各種画像処理（たとえば補正、加工、編集）を行う。プリント時は伸張２０１３で２値多値変換を行うので、２値、および多値出力が可能である。画像変換部２０３０はＲＡＭ上にある画像を画像変換し、再度、ＲＡＭ２００２に戻すときに使われる各種画像変換機能を有する。回転器２０１９は３２画素×３２画素単位の画像を指定された角度で回転でき、２値、および多値の入出力に対応している。変倍器２０２０は画像の解像度を変換（たとえば６００ｄｐｉから２００ｄｐｉ）したり、変倍したりする機能（たとえば２５％から４００％まで）を有する。変倍する前には３２×３２画素の画像を３２ライン単位の画像に並び替える。色空間変換２０２１は多値入力された画像をマトリクス演算、およびＬＵＴにより、たとえばメモリ上にあるＹＵＶ画像をＬａｂ画像に変換し、メモリ上に格納する。また、この色空間変換は３×８のマトリクス演算および、１次元ＬＵＴをもち、公知の下地とばしや裏写り防止を行うことができる。変換された画像は多値で出力される。２値多値変換２０２２は１ｂｉｔ２値画像を多値８ｂｉｔ、２５６階調にする。逆に多値２値変換２０２６はたとえばメモリ上にある８ｂｉｔ、２５６階調の画像を誤差拡散処理などの手法により１ｂｉｔ、２階調に変換し、メモリ上に格納する。合成２０２３はメモリ上の２枚の多値画像画像を合成し、１枚の多値画像にする機能を有する。たとえば、メモリ上にある会社ロゴの画像と原稿画像を合成することで、原稿画像に簡単に会社ロゴをつけることができる。間引き２０２４は多値画像の画素を間引くことで、解像度変換を行うユニットであり１／２，１／４，１／８の多値画像を出力可能である。変倍２０２０と合わせて使うことで、より広範囲な拡大、縮小を行うことができる。移動２０２５は入力された２値画像、多値画像に余白部分をつけたり、余白部分を削除したりして出力することができる。回転２０１９、変倍２０２０、色空間変換２０２１、２値多値２０２２、合成２０２３、間引き２０２４、移動２０２５、多値２値２０２６ははそれぞれ連結して動作することが可能で、たとえばメモリ上の多値画像を画像回転、解像度変換する場合は両処理を、メモリを介さずに連結して行うことができる。
【００１７】
図３に画像の形式を示す。本発明で使用される画像の形式は特開２００１−１０３４７３で開示されている画像パケット構造を利用する。圧縮２１１２ではラスタ形式の画像を、図３のごとく、３２×３２画素単位のパケットとして並び替え、パケット単位でＪＰＥＧ圧縮を行う。同時にパケットにパケットの位置を示すＩＤ、色空間、ＱテーブルＩＤ、データ長などの情報を付加してヘッダーとする。文字、写真を示す２値のデータ（像域フラグ）も同様に圧縮して、ＪＰＥＧの後ろに付随させる。
【００１８】
図４にパケットデータを示す。伸張２０１３ではこのヘッダー情報をもとにＪＰＥＧを展開し、ラスタ画像に並び替える。このようなパケット画像にすることで、画像回転のときにはパケット内部の画像のみを回転し、パケットＩＤの位置を変更することで、部分的に伸張圧縮で回転することができるため非常に効率がよい。ＩｍａｇｅＢｕｓ２０１０を流れる画像はすべてパケット画像になる。
【００１９】
ＦＡＸ送信や２値画像回転２０５２、２値画像圧縮、伸張２０５３などでラスタ画像が必要な場合は、パケット画像からラスタ画像への変換をソフトウェアによって行う。
【００２０】
図５にスキャナ画像処理２０１４の詳細説明を示す。スキャナから入力されたＲＧＢ各８ｂｉｔの輝度信号は画像領域イネーブル生成部２５１０により、使用者からの指示に基づいて原稿画像領域の必要部分の区間を後段の画像処理に流すよう設定される。ここには入力画像を３２×３２画素単位になるように余分に画像を読み取るよう設定しておく。その後、マスキング２５０１によりＣＣＤのフィルタ色に依存しない標準的なＲＧＢ色信号に変換される。フィルタ２５０２ではたとえば９×９のマトリクスを使用し、画像をぼかしたり、メリハリをつける処理が行われる。ヒストグラム２５０３は入力画像中の画像信号データのサンプリングをする処理部であり、入力画像の下地レベル判定に使用される。このモジュールでは主走査方向、副走査方向にそれぞれ指定した開始点から終了点で囲まれた矩形領域内のＲＧＢデータを、主走査方向、副走査方向に一定のピッチでサンプリングし、ヒストグラムを作成する。このヒストグラムは、下地とばしや、裏写り防止が指定されたとき、読み出され、ヒストグラムから原稿の下地を推測し、下地とばしレベルとして、画像とともにメモリやＨＤＤに保存、管理され、印刷や送信時の画像処理に使用される。ガンマ２５０４では画像全体の濃度を濃くあるいは薄くするように処理が行われる。たとえば入力画像の色空間を任意の色空間に変換したり、入力系の色味に関する補正処理を行う部分である。２５１１の画像シフトでは主走査、副走査とも３２×３２画素以内のシフト機能を有しており、入力された画像をどちら方向へシフトするのか、および、シフトすることによりパディングの位置が変わるため、その色を指定できるようになっている。
【００２１】
原稿がカラーか白黒かを判断するために変倍前の画像信号を色空間変換２５０５によって公知のＬａｂに変換する。このうち“ａ”，“ｂ”は色信号成分を表しており、比較器２５０６内の所定のレベル以上であれば有彩色、そうでなければ無彩色として１ｂｉｔの判定信号を比較器２５０６から出力する。カウンタ２５０７は比較器２５０６からの出力を計測する。文字／写真判定２５０８は画像から文字エッジを抽出し、画像を文字と写真に分離する機能である。出力として、文字写真判定信号が得られる。この信号（像域信号）も画像とともにメモリやＨＤに格納され、印刷時に使用される。２５０９は２値化処理器であり、ＲＧＢ各８ｂｉｔの信号からＮＤ信号と呼ばれる信号を生成（ＮＤ＝（Ｒ＋２Ｇ＋Ｂ）／４）し、固定もしくは変動スライスレベルの閾値で２値化する。２５１０はカウンタであり、２値化された信号の画素をカウントする。比較器２５１２であらかじめ設定されている所定の値とカウント値を比較することによって、白紙判定結果を保持することができる。
【００２２】
図６にプリンタ画像処理２０１６の詳細説明を示す。
【００２３】
下地とばし２６０１は画像データの地色をとばし、不要な下地のカブリ除去を行う。たとえば、３×８のマトリクス演算や、１次元ＬＵＴにより下地とばしを行う。２６０２はカラー画像データをモノクロデータに変換し、単色としてプリントする際に、カラー画像データ、たとえばＲＧＢデータを、Ｇｒａｙ単色に変換するモノクロ生成部である。たとえば、ＲＧＢに任意の定数を掛け合わせ、Ｇｒａｙ信号とする１×３のマトリクス演算から構成される。２６０３は画像データを出力するプリンタ部の特性に合わせて色補正を行う出力色補正部である。たとえば、４×８のマトリクス演算や、ダイレクトマッピングによる処理から構成される。２６０４は画像データの空間周波数を任意に補正するフィルタ処理部であり、たとえば９×９のマトリクス演算を行う処理から構成される。２６０５は色数変換部である。ＣＭＹＫの４色入力をそのまま４色で出力するモードとＣの信号からＣ（シアン）とＬＣ（薄いシアン）を生成、Ｍの信号からＭ（マゼンタ）とＬＭ（薄いマゼンタ）を生成する。ＹとＫはそのまま出力する。２６０６は出力するプリンタ部の特性に合わせて、ガンマ補正を行う処理であり、通常１次元のＬＵＴから構成される。中間調補正２６０７は出力するプリンタ部の階調数に合わせて任意の中間調処理を行う処理部であり、２値化や３２値化など、任意のスクリーン処理や、誤差拡散処理を行う中間調処理部である。各処理は図示しない文字／写真判定信号によって切り替えることも可能である。ドラム間遅延メモリ２６０８はＣＭＹＫ／ＬＣ／ＬＭの各色のドラムを持つカラープリンタにおいて、ＣＭＹＫ／ＬＣ／ＬＭの印字タイミングをドラム間分ずらすことで、ＣＭＹＫ画像を重ね合わせるためのメモリである。ＣＭＹＫ各色４ドラムを持つカラープリンタにおいて画像の位置を合わせるために遅延させることができる。
【００２４】
画像入出力デバイスを図７に示す。画像入力デバイスであるスキャナ部２０１５は、原稿となる紙上の画像を照明し、ＣＣＤラインセンサ（図示せず）を走査することで、ラスターイメージデータとして電気信号に変換する。原稿用紙は原稿フィーダ２７０１のトレイ２７０２にセットし、装置使用者が操作部２００６から読み取り起動指示することにより、コントローラＣＰＵ２００１がスキャナ２０１５に指示を与え、フィーダ２０７１のトレイ２７０２から原稿用紙を１枚ずつフィードし原稿画像の読み取り動作を行う。
【００２５】
画像出力デバイスであるプリンタ部２０１７は、ラスターイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ２００１からの指示によって開始する。プリンタ部２０１７には、異なる用紙サイズまたは異なる用紙向きを選択できるように複数の給紙段を持ち、それに対応した用紙カセット２７０３、２７０４、２７０５がある。また、排紙トレイ２７０６は印字し終わった用紙を受ける排紙トレイである。
【００２６】
操作部２００６の構成を図８に示す。ＬＣＤ表示部２８０１は、ＬＣＤ上にタッチパネルシート２８０２が貼られており、システムの操作画面およびソフトキーを表示するとともに、表示してあるキーが押されるとその位置情報をコントローラＣＰＵ２００１に伝える。スタートキー２８０３は原稿画像の読み取り動作を開始する時などに用いる。スタートキー２８０３中央部には、緑と赤の２色ＬＥＤ２８０４があり、その色によってスタートキー２８０３が使える状態にあるかどうかを示す。ストップキー２８０５は稼働中の動作を止める働きをする。ＩＤキー２８０６は、使用者のユーザーＩＤを入力する時に用いる。リセットキー２８０７は操作部からの設定を初期化する時に用いる。
【００２７】
図９は、本実施例の画像形成装置における初期画面であり、各画像形成機能設定後に戻ってくる標準画面でもある。３１０１はコピー設定を行うための画面切り替えを行う。３１０２はスキャンした画像をファックスや電子メールで送信する設定を行うための画面切り替えを行う。３１０３は内蔵ＨＤＤにスキャン画像、ＰＤＬ画像を格納する、あるいは格納されたスキャン画像、ＰＤＬ画像を印字、あるいは送信する、あるいは編集する設定を行うための画面切り替えを行う。３１０４は３１０５によって設定された画像読み込み時の設定を表示するためのウィンドウである。３１０５は画像読み込み時の解像度、濃度などを設定する。３１０６はタイマー送信時のタイマー設定、ＨＤＤあるいはプリンタに印字する場合の設定などを行う。３１０７は３１０８の宛先表によって指定された送信宛先の表示を行う。３１０９は３１０７に表示された１宛先の詳細情報の表示を行う。３１１０は３１０７に表示された１宛先の消去を行う。
【００２８】
図１０は読込設定３１０５を押下したときに表示されるポップアップウィンドウである。３２０１は読み取り原稿サイズをポップアップのなかから選択入力し、設定された読み取りサイズは３２０２に表示される。３２０３は原稿の読み取りモードを選択するところであり、押下するとカラー／ブラック／自動（ＡＣＳ）の３種類が選択できる。カラーモードに関してはコピー、ボックスでも同様に選択ができる。カウンタ２５０７の計測結果が所定値よりも小さければ白黒原稿、大きければカラー原稿と判断し、カラーの場合はカラー画像を、ブラックの場合には白黒画像を、ＡＣＳの場合にはカラー画像と原稿がカラーか白黒かを判別した結果を蓄積する。３２０４は読み取りの解像度を指定するためポップアップからの選択入力になる。３２０５は原稿の読み取り濃度を調整するためのスライダであり、９段階の調整が行える。３２０６は新聞のように下地がかぶった画像を読み込む場合に、濃度を自動的に決定するためにある。３２０６についてはコピーでも同様の設定が可能である。
【００２９】
図１１にコピータブ３１０１を押下したときの画面を示す。３３０１はコピーできる状態が否かを示すところであり、同時に設定したコピー部数、選択されている用紙（用紙カセット）も表示される。３３０２は用紙選択ボタンであり、用紙カセットを選択することでコピーに使用する用紙を選択する。３３０８は図１０の３２０６と同等の機能であり、下地除去を自動的にするか否かを、選択するためのボタンである。３３０３は図１０の３２０５と同等の機能であり、９段階の濃度調整が可能なスライダである。３３０４は原稿のタイプを選択するところであり、文字・写真・地図、文字、印画紙写真、印刷写真が選択できる。３３０５は応用モードボタンであり、縮小レイアウト（複数枚の原稿を１枚の用紙に縮小印字する機能）や、カラーバランス（ＣＭＹＫの各色微調整）などが設定できる。３３０６は各種フィニッシングにかかわる設定を行うボタンであり、シフトソート、ステープルソート、グループソートが設定できる。３３０７は両面読み込み、および、両面印刷にかかわる設定を行うボタンである。
【００３０】
図１２にボックスタブ３１０３を押下したときの画面を示す。３４０１はＨＤＤを論理的に区分した各フォルダを示す。フォルダにはフォルダ番号があらかじめ割り振られており、３４０１は０番のフォルダになる。フォルダ番号の横にはフォルダで使用しているディスク容量の割合が表示されている。また、フォルダには任意の名前をつけることができ、名前もここに表示される。３４０２はＨＤＤ全体の使用量が表示される。
【００３１】
図１３にフォルダ３４０１を押下したときの画面を示す。３５０１および３５０２はフォルダに格納されている文書を示す。文書は複数のページで構成されている。３５０１はスキャンした文書であり、スキャン文書であることを示すアイコン表示、および、ＨＤＤ使用量、さらにユーザーが任意に設定できる文書名表示を表示している。３５０２はＰＤＬから格納したＰＤＬ文書であるアイコンが表示されている。アイコンを押下することで、その文書が選択されたことが反転表示によって示される。３５０３は選択された文書を送信するためのボタンである。３５０４はスキャナから原稿を読み込み、文書を生成するためのボタンである。３５０５はフォルダ内のすべての文書を選択するためのボタンである。３５０６は選択された文書を削除するためのボタンである。３５０７は選択された文書を印刷するためのボタンである。３５０８は選択された文書を編集するためのボタンである。たとえば２つの文書を選択して、結合し、１つの文書にして保存したり、特定のページを削除する機能を持っている。３５０９は最後に選択された文書の詳細情報を表示するためのボタンである。文書名以外にも解像度、原稿サイズ、カラーなどの情報をみることができる。
【００３２】
図１４にソフト構成図を示す。４０１０は表示操作部を制御するＵＩ制御部、ＵＩ制御部４０１０からの指示を受け、コピー動作、送信動作、ボックス画面からのスキャン、プリントを実行するコピーアプリケーション部４０２０、送信アプリケーション部４０２１、ボックスアプリケーション部４０２２がある。またネットワークアプリケーション４１２０からのＰＤＬプリントデータを受けＰＤＬプリントジョブを投入するＰＤＬアプリケーション部４０２３がある。４０３０は機器制御部分の機器依存部分を吸収するための共通インタフェース、４０４０は共通インタフェース４０３０から受け取ったジョブ情報を整理し、下位層のドキュメント処理部に伝達するジョブマネージャである。ドキュメント処理部はローカルコピーであればスキャンマネージャ４０５０とプリントマネージャ４０９０、リモートコピーの送信ジョブ、あるいは送信ジョブであればスキャンマネージャ４０５０とファイルストアマネージャ４１００、リモートコピーの受信ジョブであればファイルリードマネージャ４０６０とプリントマネージャ４０９０、ＬＩＰＳやＰｏｓｔＳｃｒｉｐｔなどのＰＤＬプリントではＰＤＬマネージャ４０７０とプリントマネージャ４０９０である。各ドキュメントマネージャ間の同期とり、および各種画像処理を行うイメージマネージャ４１１０への画像処理の依頼はシンクマネージャ４０８０を介して行う。スキャン、プリント時の画像処理や画像ファイルの格納はイメージマネージャ４１１０が行う。
【００３３】
まずローカルコピーのソフト処理について説明する。使用者の指示によりＵＩ制御部４０１０からコピー指示とともにコピーの設定がコピーアプリケーション部４０２０に伝わる。コピーアプリケーション部４０２０はＵＩ制御部４０１０からの情報を共通インタフェース４０３０を介して、機器制御を行うジョブマネージャ４０４０に伝える。
【００３４】
ジョブマネージャ４０４０はスキャンマネージャ４０５０とプリントマネージャ４０９０にジョブの情報を伝達する。スキャンマネージャ４０５０は図示しないデバイスＩ／Ｆ（デバイスＩ／Ｆはコントローラ２０００とスキャナ２０１５、およびコントローラ２０００とプリンタ２０１７を結ぶシリアルＩ／Ｆ）を介してスキャナ２０７０にスキャン要求を行う。また、同時にシンクマネージャ４０８０を介してイメージマネージャ４１１０にスキャン用の画像処理要求をだす。
【００３５】
イメージマネージャ４１１０はスキャンマネージャ４０５０の指示に従って、スキャナ画像処理部２０１４の設定を行う。設定が完了したら、シンクマネージャ４０８０を介してスキャン準備完了を伝える。
【００３６】
その後スキャンマネージャ４０５０はスキャナ２０７０に対してスキャンを指示する。スキャン画像転送完了は図示しないハードウェアからの割り込み信号によってイメージマネージャ４１１０に伝わる。
【００３７】
イメージマネージャ４１１０からのスキャン完了を受けてシンクマネージャ４０８０はスキャン完了をスキャンマネージャ４０５０、プリントマネージャ４０９０に伝える。同時にシンクマネージャ４０８０はＲＡＭ２００２に蓄積された圧縮画像をＨＤＤ２００４にファイル化するためイメージマネージャ４１１０に指示する。
【００３８】
イメージマネージャ４１１０は指示に従ってメモリ上の画像（文字／写真判定信号を含めて）をＨＤＤ２００４に格納する。画像の付随情報として図示しないＳＲＡＭにカラー判定／白黒判定結果、下地とばしを行うための下地とばしレベル、画像入力元としてスキャン画像、色空間ＲＧＢも格納しておく。
【００３９】
また、ＨＤＤ２００４への格納が終了し、スキャナ２０７０からのスキャン完了を受けたら、シンクマネージャ４０８０を介してスキャンマネージャ４０５０にファイル化終了を通知する。
【００４０】
スキャンマネージャ４０５０はジョブマネージャ４０４０に対して終了通知を返し、ジョブマネージャ４０４０は共通インタフェース４０３０を介してコピーアプリケーション部４０２０へ返す。プリントマネージャ４０９０はメモリに画像が入った時点でデバイスＩ／Ｆを介して、プリンタ２０９５に印刷要求をだす。同時にシンクマネージャ４０８０にプリント画像処理要求を行う。
【００４１】
シンクマネージャ４０８０はプリントマネージャ４０９０から要求を受けたら画像処理設定をイメージマネージャ４１１０に依頼する。
【００４２】
イメージマネージャ４１１０は前記の画像の付随情報に従ってプリンタ画像処理部２０１５の設定を行い、シンクマネージャ４０８０を介してプリントマネージャ４０９０にプリント準備完了を伝える。
【００４３】
プリントマネージャ４０９０はプリンタに対して印刷指示をだす。プリント画像転送完了は図示しないハードウェアからの割り込み信号によってイメージマネージャ４１１０に伝わる。
【００４４】
イメージマネージャ４１１０からのプリント完了を受けてシンクマネージャ４０８０はプリント完了をプリントマネージャ４０９０に伝える。プリントマネージャ４０９０はプリンタ部からの排紙完了を受け、ジョブマネージャ４０４０に対して終了通知を返し、ジョブマネージャ４０４０は共通インタフェース４０３０を介してコピーアプリケーション部４０２０へ返す。コピーアプリケーション部４０２０はスキャン、プリントが終了したらジョブ終了をＵＩ制御部４０１０に通知する。
【００４５】
リモートコピーのスキャンジョブ、送信ジョブの場合は、プリントマネージャ４０９０に代わってファイルストアマネージャ４１００がジョブマネージャ４０４０からの要求を受ける。スキャン画像をＨＤＤに格納し終わった時点で、シンクマネージャ４０８０から格納完了通知を受け、それを共通インタフェース４０３０を介してリモートコピーならコピーアプリケーション部４０２０に、送信ジョブなら送信アプリケーション部４０２１に通知する。
【００４６】
コピーアプリケーション部４０２０、送信アプリケーション部４０２１はこの通知のあと、ネットワークアプリケーション４１２０に対してＨＤＤに格納されたファイルの送信を依頼する。
【００４７】
依頼を受けたネットワークアプリケーション４１２０がファイルを送信する。ネットワークアプリケーション４１２０はジョブ開始時にコピーアプリケーション部４０２０からコピーに関する設定情報を受け、それもリモート側の機器に通知する。ネットワークアプリケーション４１２０はリモートコピーの場合、機器固有の通信プロトコルを使用して送信を行う。また送信ジョブの場合はＦＴＰ、ＳＭＢのような標準的なファイル転送プロトコルを使用する。
【００４８】
ファックス送信する場合はファイル格納後、送信アプリケーション４０２１から共通インタフェース４０３０、ジョブマネージャ４０４０を介してＦＡＸマネージャ４０４１に送信が指示される。ＦＡＸマネージャ４０４１はＭｏｄｅｍ２０５０を介して、相手機器とネゴシエーションし、必要な画像処理（カラー−＞白黒変換、多値２値変換、回転、変倍）をイメージマネージャ４１１０に依頼し、変換後の画像をＭｏｄｅｍを使って送信する。
【００４９】
また、送信先にプリンタがある場合、送信アプリケーションは共通インタフェース４０３０を介してプリントジョブとしてプリントの指示を行う。そのときの動作は以下で説明するリモートコピーのプリントジョブの場合と同様である。また、送信宛先が機器内のボックス宛先になっているときはファイルストアマネージャ４１００によって機器内のファイルシステムに格納する。
【００５０】
ＦＡＸ受信時はＦＡＸマネージャ４０４１がＭｏｄｅｍを使って画像を受信し、画像ファイルとしてＨＤＤ２００４に格納する。ＨＤＤ２００４格納後にボックスアプリケーション４０２２に通知すると、ボックスアプリケーション４０２２から受信プリントの指示が共通インタフェース４０３０を介して、ジョブマネージャ４０４０になされる。その後は通常のボックスプリントジョブと同じ動作になるため省略する。
【００５１】
リモートコピーのプリントジョブの場合は、送信側からの画像をネットワークアプリケーション４１２０がＨＤＤに保存するとともにコピーアプリケーション部４０２０に対してジョブを発行する。コピーアプリケーション部４０２０は共通インタフェース４０３０を介してジョブマネージャ４０４０にプリントジョブを投入する。ローカルコピーとは異なり、スキャンマネージャ４０５０に代わってファイルリードマネージャ４０６０がジョブマネージャ４０４０からの要求を受ける。
【００５２】
受信画像をＨＤＤからメモリに展開するための要求をシンクマネージャ４０８０を介して、イメージマネージャ４１１０に行う。イメージマネージャ４１１０はメモリに画像を展開する。イメージマネージャ４１１０は展開が終了した時点で、展開終了をシンクマネージャ４０８０を経由して、ファイルリードマネージャ４０６０とプリントマネージャ４０９０に伝える。
【００５３】
プリントマネージャ４０９０はメモリに画像が入った時点でデバイスＩ／Ｆを介して、プリンタ２０１７にジョブマネージャ４０４０から指示された給紙段、もしくはその用紙サイズを有する段を選択し、印刷要求をだす。自動用紙の場合には画像サイズから給紙段を決定し印刷要求をだす。同時にシンクマネージャ４０８０にプリント画像処理要求を行う。シンクマネージャ４０８０はプリントマネージャ４０９０から要求を受けたらプリント画像処理設定をイメージマネージャ４１１０に依頼する（このときたとえば最適サイズ用紙がなくなり、回転が必要になれば別途回転指示も依頼する。回転指示があった場合にはイメージマネージャが画像回転２０１９を使って画像を回転する。）。
【００５４】
イメージマネージャ４１１０はプリンタ画像処理部２０１６の設定を行い、シンクマネージャ４０８０を介してプリントマネージャ４０９０にプリント準備完了を伝える。
【００５５】
プリントマネージャ４０９０はプリンタに対して印刷指示をだす。プリント画像転送完了は図示しないハードウェアからの割り込み信号によってイメージマネージャ４１１０に伝わる。
【００５６】
イメージマネージャ４１１０からのプリント完了を受けてシンクマネージャ４０８０はプリント完了をファイルリードマネージャ４０６０とプリントマネージャ４０９０に伝える。
【００５７】
ファイルリードマネージャ４０６０は終了通知をジョブマネージャ４０４０に返す。プリントマネージャ４０９０はプリンタ部からの排紙完了を受け、ジョブマネージャ４０４０に対して終了通知を返す。ジョブマネージャ４０４０は共通インタフェース４０３０を介してコピーアプリケーション部４０２０へ終了通知を返す。
【００５８】
コピーアプリケーション部４０２０はスキャン、プリントが終了したらジョブ終了をＵＩ制御部４０１０に通知する。
【００５９】
ＰＤＬデータ展開格納ジョブの場合は、ＰＤＬプリントを投入したホストＰＣからの要求がネットワークアプリケーション４１２０を経由してＰＤＬアプリケーション４０２３に伝達される。ＰＤＬアプリケーション４０２３がＰＤＬデータ展開格納ジョブを共通インタフェース４０３０を介してジョブマネージャ４０４０に指示する。このときＰＤＬマネージャ４０７０とストアマネージャ４１００がジョブマネージャ４０４０からの要求を受ける。画像のＲＩＰが終了した後の画像入力する部分に関しては前述のスキャンジョブと同様である。メモリ上の画像（文字／写真判定信号を含めて）をＨＤＤ２００４に格納する。画像の付随情報として図示しないＳＲＡＭにカラー／白黒情報、画像入力元としてＰＤＬ画像、色空間ＣＭＹＫもしくはＲＧＢも格納しておく。ＰＤＬ画像をＨＤＤ２００４に格納し終わった時点で、シンクマネージャ４０８０から格納完了通知を受け、それを共通インタフェース４０３０を介してＰＤＬアプリケーション４０２３に通知する。ＰＤＬアプリケーション４０２３はこの通知のあと、ネットワークアプリケーション４１２０にＨＤＤに格納完了を通知し、ＰＤＬプリントを投入したホストＰＣへこの情報が伝達される。また、ＰＤＬプリントジョブの場合にはＰＤＬマネージャ４０７０とプリントマネージャによって、メモリ上に展開された画像を印字する。
【００６０】
ＰＤＬ展開され格納された画像のプリントはＵＩで印刷指示された格納文書をＢＯＸアプリケーションに対してプリントジョブとして発行する。ボックスアプリケーション部４０２２は共通インタフェース４０３０を介してジョブマネージャ４０４０にプリントジョブを投入する。ローカルコピーとは異なり、スキャンマネージャ４０５０に代わってファイルリードマネージャ４０６０がジョブマネージャ４０４０からの要求を受ける。印刷指示された画像をＨＤＤからメモリに展開するための要求をシンクマネージャ４０８０を介して、イメージマネージャ４１１０に行う。この後の動作はリモートコピーのプリントジョブで説明した動作と同様のため、省略する。
【００６１】
次に本実施例の中心部となる、用紙カセットに印字色数を対応させた場合の制御について説明する。
【００６２】
図１５は図６の色数変換２６０５の動作を示している。色数変換２６０５は設定によりＣＭＹＫをＣＭＹＫの４色で出力したり、ＣＭＹＫ／ＬＣ／ＬＭの６色で出力が可能である。４色出力の場合には入力値をそのまま出力する。６色出力の場合には図に示すようにＣやＭの入力（横軸）に対して、Ｃ／ＬＣやＭ／ＬＭを出力（縦軸）する。
【００６３】
図１６の４１０１は用紙選択ボタンを押下したとき、表示される画面である。
【００６４】
４１０２は１段目のカセットにＡ３、普通紙、６色が設定されている。４１０２は選択されている段を表すため濃い枠で表示されている。サイズはカセットサイズ検知機構により検知されたサイズが表示される。同様に２段目はＡ３、普通紙、４色、３段目はＡ３、６色、厚紙が設定されている。
【００６５】
図１７は各カセット段に対する用紙種類（普通紙、厚紙など）や色数（４色、６色）を設定するときの画面である。まず、設定したい段を選択（たとえば１段めの４２０１）して４２０２のボタンを押下する。
【００６６】
そのあと、図１８が表示され用紙の種類、出力色数（フルカラー時）の設定が可能になる。４３０１の普通紙、４３０２の厚紙、４３０３の厚紙２、４３０４のＯＨＴ、４３０５の第二原図の各種用紙から選択する。また、フルカラー時の色数を４３０６の４色（ＣＭＹＫ）、４３０７の６色（ＣＭＹＫ／ＬＣ／ＬＭ）から選択し、それでよければ４３０９の完了を押す。キャンセルする場合は４３０８を押下する。
【００６７】
図１９でフルカラーコピー時のフローチャートを示す。ただしこのフローの前に図１８での設定を行っておく。
【００６８】
まず、４４０１において、用紙選択画面ボタンにより用紙カセットを選択する。そのあと、スタートキーでスキャンが行われる。４４０２で、選択された用紙カセットが６色であれば、４４０３で色数変換を４色入力、６色出力に設定する。次に４４０４で、６色印字を行う。また、４４０２で選択された用紙カセットが６色でないなら、４４０５で色数変換をスルー設定する。４４０６で、４色印字を行う。
【００６９】
図２０は、自動用紙選択が設定された場合のデフォルトカラー設定である。図１６のようなカセットの設定で自動用紙選択でＡ３の場合に４色、６色のどちらの用紙カセットを選択すべきか判断できないため、図２０の画面で設定を行う。４５０１は４色、４５０２は６色の設定ボタンであり、４５０３の完了を押下することで設定完了である。この設定により、上述した例で４色であれば２段目が、６色であれば１段目が選択される。
【図面の簡単な説明】
【００７０】
【図１】本発明の実施例を示す画像形成装置システムの全体の構成を説明するブロック図
【図２】画像形成装置の構成を説明するブロック図
【図３】画像の形式を示す図
【図４】パケットデータを示す図
【図５】スキャナ画像処理の詳細説明図
【図６】プリンタ画像処理の詳細説明図
【図７】画像入出力デバイスを示す図
【図８】操作部の構成を示す図
【図９】本実施例の画像形成装置における初期画面を示す図
【図１０】図９の読込設定を押下したときに表示されるポップアップウィンドウを示す図
【図１１】図９のコピータブを押下したときの画面を示す図
【図１２】図９のボックスタブを押下したときの画面を示す図
【図１３】図１２のフォルダ３４０１を押下したときの画面を示す図
【図１４】本発明の実施例におけるソフト構成図を示す図
【図１５】図６の色数変換の動作を示す図
【図１６】用紙選択ボタンを押下したとき表示される画面を示す図
【図１７】各カセット段に対する用紙種類や色数を設定するときの画面を示す図
【図１８】用紙の種類、出力色数の設定が可能な画面を示す図
【図１９】実施例におけるフルカラーコピー時のフローチャート
【図２０】自動用紙選択が設定された場合のデフォルトカラー設定の画面を示す図
【符号の説明】
【００７１】
２００  画像形成装置
２０００  コントローラユニット
２０１２  操作部
２０７０  スキャナ部
２０９５  プリンタ部
２０１１  ＬＡＮ
【図１】
2007030352.tif 000003
【図２】
2007030352.tif 000004
【図３】
2007030352.tif 000005
【図４】
2007030352.tif 000006
【図５】
2007030352.tif 000007
【図６】
2007030352.tif 000008
【図７】
2007030352.tif 000009
【図８】
2007030352.tif 000010
【図９】
2007030352.tif 000011
【図１０】
2007030352.tif 000012
【図１１】
2007030352.tif 000013
【図１２】
2007030352.tif 000014
【図１３】
2007030352.tif 000015
【図１４】
2007030352.tif 000016
【図１５】
2007030352.tif 000017
【図１６】
2007030352.tif 000018
【図１７】
2007030352.tif 000019
【図１８】
2007030352.tif 000020
【図１９】
2007030352.tif 000021
【図２０】
2007030352.tif 000022